(57)【要約】【課題】映像再生装置において、所望する映像シーンを適切にマーク位置として設定すると共に、マーク位置の設定操作をより簡便に行う。【解決手段】ハードディスクレコーダは、ユーザにより操作されるリモコンと、リモコンの操作に応じてハードディスクレコーダの動作を制御するシステム制御部とを備える。システム制御部は、映像・音声の早送り再生中にリモコンのマークキーの押下操作（マーク位置を設定するためのマーク設定操作）が行われると、マークキーの押下操作が行われたときの映像再生位置（図示Ａ１の位置）より巻戻し側における直近の映像の場面変化と見なされる位置（図示Ａ２の位置）を検索する。そして、システム制御部は、その場面変化と見なされる位置（図示Ａ２の位置）をマーク位置として設定する。【選択図】      図４
2004356793.tif 000002
【特許請求の範囲】
【請求項１】
映像に関するデータが記録された記録媒体から前記映像に関するデータを読取る読取手段と、前記読取手段で読取ったデータを基に、ディスプレイにて前記映像の再生を行うための映像信号を生成する映像信号生成手段と、前記読取手段及び前記映像信号生成手段を制御して前記映像を前記ディスプレイ上に再生する再生制御手段と、前記再生制御手段による前記映像の再生開始位置とすることができるマーク位置を設定するためにユーザにより操作される操作手段と、前記操作手段の操作に応じて前記マーク位置を設定するマーク設定手段とを備えた映像再生装置において、
音声の有無の変化、ビットレートの変化率又は／及び画面の変化率に基づいて前記映像の場面変化と見なされる位置を検索する場面変化検索手段をさらに備え、
前記場面変化検索手段は、前記操作手段による前記マーク位置を設定するためのマーク設定操作を受けて、該マーク設定操作が行われたときの映像再生位置より巻戻し側における直近の前記映像の場面変化と見なされる位置を検索し、
前記マーク設定手段は、前記マーク設定操作に応じて、前記場面変化検索手段にて検索される前記映像の場面変化と見なされる位置を前記マーク位置として設定することを特徴とする映像再生装置。
【請求項２】
映像に関するデータが記録された記録媒体から前記映像に関するデータを読取る読取手段と、前記読取手段で読取ったデータを基に、ディスプレイにて前記映像の再生を行うための映像信号を生成する映像信号生成手段と、前記読取手段及び前記映像信号生成手段を制御して前記映像を前記ディスプレイ上に再生する再生制御手段と、前記再生制御手段による前記映像の再生開始位置とすることができるマーク位置を設定するためにユーザにより操作される操作手段と、前記操作手段の操作に応じて前記マーク位置を設定するマーク設定手段とを備えた映像再生装置において、
前記マーク設定手段は、前記操作手段による前記マーク位置を設定するためのマーク設定操作に応じて、該マーク設定操作が行われたときの映像再生位置付近における映像の場面変化と見なされる位置を前記マーク位置として設定することを特徴とする映像再生装置。
【請求項３】
映像に関するデータが記録された記録媒体から前記映像に関するデータを読取る読取手段と、前記読取手段で読取ったデータを基に、ディスプレイにて前記映像の再生を行うための映像信号を生成する映像信号生成手段と、前記読取手段及び前記映像信号生成手段を制御して前記映像を前記ディスプレイ上に再生する再生制御手段と、前記再生制御手段による前記映像の再生開始位置とすることができるマーク位置を設定するためにユーザにより操作される操作手段と、前記操作手段の操作に応じて前記マーク位置を設定するマーク設定手段とを備えた映像再生装置において、
前記操作手段は、前記マーク位置を設定するために押下操作されるマークキーを有し、
前記再生制御手段は、前記マークキーが押下され続けている間、該マークキーの押下開始時点の映像再生位置から前記映像を巻戻し方向にスロー再生し、
前記マーク設定手段は、前記マークキーの押下状態が解除されると、その時点の映像再生位置を前記マーク位置として設定することを特徴とする映像再生装置。
【請求項４】
映像に関するデータが記録された記録媒体から前記映像に関するデータを読取る読取手段と、前記読取手段で読取ったデータを基に、ディスプレイにて前記映像の再生を行うための映像信号を生成する映像信号生成手段と、前記読取手段及び前記映像信号生成手段を制御して前記映像を前記ディスプレイ上に再生する再生制御手段と、前記再生制御手段による前記映像の再生開始位置とすることができるマーク位置を設定するためにユーザにより操作される操作手段と、前記操作手段の操作に応じて前記マーク位置を設定するマーク設定手段とを備えた映像再生装置において、
前記再生制御手段は、前記操作手段による前記マーク位置を設定するための第１の操作が行われると、該第１の操作が行われたときの映像再生位置から前記映像を巻戻し方向に再生し、
前記マーク設定手段は、前記第１の操作の後に、前記操作手段による前記マーク位置を設定するための第２の操作が行われると、該第２の操作が行われたときの映像再生位置を前記マーク位置として設定することを特徴とする映像再生装置。
【請求項５】
映像に関するデータが記録された記録媒体から前記映像に関するデータを読取る読取手段と、前記読取手段で読取ったデータを基に、ディスプレイにて前記映像の再生を行うための映像信号を生成する映像信号生成手段と、前記読取手段及び前記映像信号生成手段を制御して前記映像を前記ディスプレイ上に再生する再生制御手段と、前記再生制御手段による前記映像の再生開始位置とすることができるマーク位置を設定するためにユーザにより操作される操作手段と、前記操作手段の操作に応じて前記マーク位置を設定するマーク設定手段とを備えた映像再生装置において、
前記操作手段は、前記マーク位置を設定するために押下操作されるマークキーを有し、
前記再生制御手段は、前記マークキーが押下されると、該マークキーの押下開始時点の映像再生位置より巻戻し方向に所定量戻った位置から前記映像の前進方向へのスロー再生を開始して、前記マークキーが押下され続けている間は前記スロー再生を継続し、
前記マーク設定手段は、前記マークキーの押下状態が解除されると、その時点の映像再生位置を前記マーク位置として設定することを特徴とする映像再生装置。
【請求項６】
映像に関するデータが記録された記録媒体から前記映像に関するデータを読取る読取手段と、前記読取手段で読取ったデータを基に、ディスプレイにて前記映像の再生を行うための映像信号を生成する映像信号生成手段と、前記読取手段及び前記映像信号生成手段を制御して前記映像を前記ディスプレイ上に再生する再生制御手段と、前記再生制御手段による前記映像の再生開始位置とすることができるマーク位置を設定するためにユーザにより操作される操作手段と、前記操作手段の操作に応じて前記マーク位置を設定するマーク設定手段とを備えた映像再生装置において、
前記再生制御手段は、前記操作手段による前記マーク位置を設定するための第１の操作が行われると、該第１の操作が行われたときの映像再生位置より巻戻し方向に所定量戻った位置から前記映像を前進方向に再生し、
前記マーク設定手段は、前記第１の操作の後に、前記操作手段による前記マーク位置を設定するための第２の操作が行われると、該第２の操作が行われたときの映像再生位置を前記マーク位置として設定することを特徴とする映像再生装置。
【発明の詳細な説明】
【０００１】
【発明の属する技術分野】
本発明は、ハードディスクレコーダやデジタルビデオディスク等の記録媒体に記録されている映像を再生する映像再生装置に関する。
【０００２】
【従来の技術】
従来から、例えばハードディスクレコーダ等の映像再生装置は、記録媒体である内蔵のハードディスクから映像及び音声に関するデータを読取って映像信号及び音声信号を生成し、映像信号をディスプレイに出力すると共に音声信号をスピーカに出力することで、映像のディスプレイ上への再生を行うと共に音声のスピーカへの再生を行っている。
【０００３】
この種の映像再生装置において、所望の映像再生位置をマーク位置として設定することにより、以降、そのマーク位置から映像の再生を開始できるマーク設定機能を有するものがある。このようなマーク設定機能を有する映像再生装置は、例えば映像の再生中にリモコン等の操作部に設けられたマーク設定用のキーが押下されると、キーを押下した時点の映像再生位置をマーク位置として設定する。
【０００４】
また、所望の位置から再生するためのプログラム開始信号を追加記録できる記録再生装置に関し、プログラム開始信号記録ボタンを押すことによりプログラム開始信号の記録予定領域を設定し、この設定された記録予定領域が操作者の希望する領域と異なっている場合は、巻戻しボタン又は早送りボタンを押すことによりボタンを押した回数に応じた量だけ記録予定領域を前後に移動補正させ、再度、プログラム開始信号記録ボタンを押すことにより補正後の記録予定領域にプログラム開始信号を記録するようにしたものが知られている（例えば、特許文献１参照）。
【０００５】
また、時間位置に対応するインデックスを読取り、読取ったインデックスの示す時間位置の情報を再生する情報管理装置において、ユーザが指定したタイミングを所定時間後戻りさせた時間位置をインデックスとするようにしたものが知られている（例えば、特許文献２参照）。
【０００６】
【特許文献１】
特開平３−２７８３４７号公報
【特許文献２】
特開平１１−１５８４４号公報
【０００７】
【発明が解決しようとする課題】
ところで、所望の映像再生位置（映像シーン）を探す際には、早送り再生を行うのが一般的である。ところが、上述した従来の映像再生装置においては、マーク設定用のキーを押下した時点の映像再生位置がマーク位置として設定されるため、早送り再生中に所望の映像シーンを発見してからマーク設定用のキーを押下したのでは、所望の映像シーンを通り過ぎた位置がマーク位置として設定されてしまい、所望の映像シーンが適切にマーク位置として設定されない。
【０００８】
また、所望の映像シーンを適切にマーク位置として設定するには、まず、早送り再生を行い、早送り再生中に所望の映像シーンを発見すると、次に、発見した所望の映像シーン以前まで映像を巻戻し再生する操作を行い、その後、マーク設定用のキーを押下操作しなければならない。従って、所望の映像シーンを適切にマーク位置として設定するには、所望の映像シーンを発見した後に、一度巻戻し操作を行ってからマーク位置の設定操作を行わなければならず、非効率的であった。なお、上述した特許文献１及び特許文献２に開示の内容を適用したとしても、上記の課題を解決することはできない。
【０００９】
本発明は、上記課題を解決するためになされたものであり、所望する映像シーンを適切にマーク位置として設定できると共に、マーク位置の設定操作をより簡便に行うことができる映像再生装置を提供することを目的とする。
【００１０】
【課題を解決するための手段】
上記目的を達成するために請求項１の発明は、映像に関するデータが記録された記録媒体から映像に関するデータを読取る読取手段と、読取手段で読取ったデータを基に、ディスプレイにて映像の再生を行うための映像信号を生成する映像信号生成手段と、読取手段及び映像信号生成手段を制御して映像をディスプレイ上に再生する再生制御手段と、再生制御手段による映像の再生開始位置とすることができるマーク位置を設定するためにユーザにより操作される操作手段と、操作手段の操作に応じてマーク位置を設定するマーク設定手段とを備えた映像再生装置において、音声の有無の変化、ビットレートの変化率又は／及び画面の変化率に基づいて映像の場面変化と見なされる位置を検索する場面変化検索手段をさらに備え、場面変化検索手段は、操作手段によるマーク位置を設定するためのマーク設定操作を受けて、該マーク設定操作が行われたときの映像再生位置より巻戻し側における直近の映像の場面変化と見なされる位置を検索し、マーク設定手段は、マーク設定操作に応じて、場面変化検索手段にて検索される映像の場面変化と見なされる位置をマーク位置として設定するものである。
【００１１】
この構成においては、マーク位置を設定するためのマーク設定操作を行うと、音声の有無の変化、ビットレートの変化率又は／及び画面の変化率に基づいて、マーク設定操作を行ったときの映像再生位置より巻戻し側における直近の映像の場面変化と見なされる位置が検索され、その場面変化と見なされる位置がマーク位置として設定される。従って、例えば早送り再生中に所望の映像シーンを発見し、そのときにマーク設定操作を行うと、自動的に、そのときの映像再生位置より巻戻し側における直近の場面変化と見なされる位置がマーク位置として設定される。これにより、例えば早送り再生中に所望の映像シーンを発見したときにマーク設定操作を行うだけで、従来と異なり、所望の映像シーンを通り過ぎた位置がマーク位置として設定されてしまうことがなくなり、所望の映像シーンを適切にマーク位置として設定することができる。
【００１２】
請求項２の発明は、映像に関するデータが記録された記録媒体から映像に関するデータを読取る読取手段と、読取手段で読取ったデータを基に、ディスプレイにて映像の再生を行うための映像信号を生成する映像信号生成手段と、読取手段及び映像信号生成手段を制御して映像をディスプレイ上に再生する再生制御手段と、再生制御手段による映像の再生開始位置とすることができるマーク位置を設定するためにユーザにより操作される操作手段と、操作手段の操作に応じてマーク位置を設定するマーク設定手段とを備えた映像再生装置において、マーク設定手段は、操作手段によるマーク位置を設定するためのマーク設定操作に応じて、該マーク設定操作が行われたときの映像再生位置付近における映像の場面変化と見なされる位置をマーク位置として設定するものである。
【００１３】
この構成においては、マーク位置を設定するためのマーク設定操作を行うと、マーク設定操作を行ったときの映像再生位置付近の場面変化と見なされる位置がマーク位置として設定される。従って、例えば早送り再生中に所望の映像シーンを発見し、そのときにマーク設定操作を行うと、自動的に、そのときの映像再生位置付近の場面変化と見なされる位置がマーク位置として設定される。これにより、例えば早送り再生中に所望の映像シーンを発見したときにマーク設定操作を行うだけで、所望の映像シーンを適切にマーク位置として設定することができる。
【００１４】
請求項３の発明は、映像に関するデータが記録された記録媒体から映像に関するデータを読取る読取手段と、読取手段で読取ったデータを基に、ディスプレイにて映像の再生を行うための映像信号を生成する映像信号生成手段と、読取手段及び映像信号生成手段を制御して映像をディスプレイ上に再生する再生制御手段と、再生制御手段による映像の再生開始位置とすることができるマーク位置を設定するためにユーザにより操作される操作手段と、操作手段の操作に応じてマーク位置を設定するマーク設定手段とを備えた映像再生装置において、操作手段は、マーク位置を設定するために押下操作されるマークキーを有し、再生制御手段は、マークキーが押下され続けている間、該マークキーの押下開始時点の映像再生位置から映像を巻戻し方向にスロー再生し、マーク設定手段は、マークキーの押下状態が解除されると、その時点の映像再生位置をマーク位置として設定するものである。
【００１５】
この構成においては、マークキーを押下すると、マークキーを押下したときの映像再生位置から巻戻し方向への映像のスロー再生が自動的に開始され、マークキーを押下し続けている間、このスロー再生が続行される。そして、マークキーの押下状態を解除すると、その解除したときの映像再生位置がマーク位置として設定される。これにより、例えば早送り再生中に所望の映像シーンを発見したときにマークキーを押下し、その後、自動的に行われる巻戻し方向へのスロー再生中に、所望の時点でマークキーの押下状態を解除するだけで、所望の映像シーンを適切にマーク位置として設定することができる。
【００１６】
請求項４の発明は、映像に関するデータが記録された記録媒体から映像に関するデータを読取る読取手段と、読取手段で読取ったデータを基に、ディスプレイにて映像の再生を行うための映像信号を生成する映像信号生成手段と、読取手段及び映像信号生成手段を制御して映像をディスプレイ上に再生する再生制御手段と、再生制御手段による映像の再生開始位置とすることができるマーク位置を設定するためにユーザにより操作される操作手段と、操作手段の操作に応じてマーク位置を設定するマーク設定手段とを備えた映像再生装置において、再生制御手段は、操作手段によるマーク位置を設定するための第１の操作が行われると、該第１の操作が行われたときの映像再生位置から映像を巻戻し方向に再生し、マーク設定手段は、第１の操作の後に、操作手段によるマーク位置を設定するための第２の操作が行われると、該第２の操作が行われたときの映像再生位置をマーク位置として設定するものである。
【００１７】
この構成においては、マーク位置を操作するための第１の操作を行うと、マークキーを押下したときの映像再生位置から巻戻し方向への映像の再生が自動的に開始される。そして、マーク位置を設定するための第２の操作を行うと、そのときの映像再生位置がマーク位置として設定される。これにより、例えば早送り再生中に所望の映像シーンを発見したときに第１の操作を行い、その後、自動的に行われる巻戻し方向への再生中に、所望の時点で第２の操作を行うだけで、所望の映像シーンを適切にマーク位置として設定することができる。
【００１８】
請求項５の発明は、映像に関するデータが記録された記録媒体から映像に関するデータを読取る読取手段と、読取手段で読取ったデータを基に、ディスプレイにて映像の再生を行うための映像信号を生成する映像信号生成手段と、読取手段及び映像信号生成手段を制御して映像をディスプレイ上に再生する再生制御手段と、再生制御手段による映像の再生開始位置とすることができるマーク位置を設定するためにユーザにより操作される操作手段と、操作手段の操作に応じてマーク位置を設定するマーク設定手段とを備えた映像再生装置において、操作手段は、マーク位置を設定するために押下操作されるマークキーを有し、再生制御手段は、マークキーが押下されると、該マークキーの押下開始時点の映像再生位置より巻戻し方向に所定量戻った位置から映像の前進方向へのスロー再生を開始して、マークキーが押下され続けている間はスロー再生を継続し、マーク設定手段は、マークキーの押下状態が解除されると、その時点の映像再生位置をマーク位置として設定するものである。
【００１９】
この構成においては、マークキーを押下すると、マークキーを押下したときの映像再生位置より巻戻し方向へ所定量戻った位置から映像の前進方向へのスロー再生が自動的に開始され、マークキーを押下し続けている間、このスロー再生が続行される。そして、マークキーの押下状態を解除すると、その解除したときの映像再生位置がマーク位置として設定される。これにより、例えば早送り再生中に所望の映像シーンを発見したときにマークキーを押下し、その後、自動的に行われる前進方向へのスロー再生中に、所望の時点でマークキーの押下状態を解除するだけで、所望の映像シーンを適切にマーク位置として設定することができる。
【００２０】
請求項６の発明は、映像に関するデータが記録された記録媒体から映像に関するデータを読取る読取手段と、読取手段で読取ったデータを基に、ディスプレイにて映像の再生を行うための映像信号を生成する映像信号生成手段と、読取手段及び映像信号生成手段を制御して映像をディスプレイ上に再生する再生制御手段と、再生制御手段による映像の再生開始位置とすることができるマーク位置を設定するためにユーザにより操作される操作手段と、操作手段の操作に応じてマーク位置を設定するマーク設定手段とを備えた映像再生装置において、再生制御手段は、操作手段によるマーク位置を設定するための第１の操作が行われると、該第１の操作が行われたときの映像再生位置より巻戻し方向に所定量戻った位置から映像を前進方向に再生し、マーク設定手段は、第１の操作の後に、操作手段によるマーク位置を設定するための第２の操作が行われると、該第２の操作が行われたときの映像再生位置をマーク位置として設定するものである。
【００２１】
この構成においては、マーク位置を操作するための第１の操作を行うと、マークキーを押下したときの映像再生位置より巻戻し方向へ所定量戻った位置から映像の前進方向への再生が自動的に開始される。そして、マーク位置を設定するための第２の操作を行うと、そのときの映像再生位置がマーク位置として設定される。これにより、例えば早送り再生中に所望の映像シーンを発見したときに第１の操作を行い、その後、自動的に行われる前進方向への再生中に、所望の時点で第２の操作を行うだけで、所望の映像シーンを適切にマーク位置として設定することができる。
【００２２】
【発明の実施の形態】
以下、本発明を具体化した実施形態について図面を参照して説明する。まず、第１の実施形態について説明する。図１において、映像再生装置であるハードディスクレコーダ１は、放送局から配信されるテレビ放送信号を本装置に接続されるアンテナ２０を介して受信し、テレビ放送の映像・音声をＨＤＤ（ハードディスクドライブ）５に内蔵の記録媒体であるハードディスクに記録すると共に、ハードディスクに記録した映像・音声を本装置に接続されるディスプレイ３０及びスピーカ３０ａにて再生する装置である。このハードディスクレコーダ１は、ユーザの操作により所望の映像再生位置をマーク位置として設定し、以降、そのマーク位置から映像の再生を開始することができるマーク設定機能を有している。
【００２３】
ハードディスクレコーダ１は、チューナ２と、映像・音声信号復調部３と、映像・音声信号処理部（映像信号生成手段）４と、ＨＤＤ５と、ＯＳＤ処理部６と、リモコン（操作手段）７と、リモコン受信部８と、マーク設定メモリ９と、ＲＯＭ１０と、ハードディスクレコーダ１全体の動作を制御するシステム制御部（再生制御手段、マーク設定手段、場面変化検索手段）１１とを備えている。
【００２４】
チューナ２は、システム制御部１１による制御のもと、その受信周波数を放送局から配信されるテレビ放送信号の周波数に同調させることにより、テレビ放送信号をアンテナ２０を介して受信する。
【００２５】
映像・音声信号復調部３は、システム制御部１１による制御のもと、チューナ２で受信したテレビ放送信号を復調し、本装置に接続されるディスプレイ３０にて映像を映し出すと共にスピーカ３０ａにて音声を出力するための映像・音声信号を生成する。映像・音声信号復調部３にて生成された映像・音声信号は、ＯＳＤ処理部６を介してディスプレイ３０及びスピーカ３０ａに出力される。これにより、テレビ放送の映像・音声がディスプレイ３０及びスピーカ３０ａにて再生される。また、映像・音声信号復調部３にて生成された映像・音声信号は、映像・音声信号処理部４に出力される。
【００２６】
映像・音声信号処理部４は、システム制御部１１による制御のもと、映像・音声信号復調部３にて生成された映像・音声信号を所定の形式の映像・音声に関するデータに変換してＨＤＤ５へ出力する。また、映像・音声信号処理部４は、システム制御部１１による制御のもと、ＨＤＤ５から出力される映像・音声データに基いて、映像・音声信号を生成する。映像・音声信号処理部４にて生成された映像・音声信号は、ＯＳＤ処理部６を介してディスプレイ３０及びスピーカ３０ａに出力される。これにより、ＨＤＤ５に記録されている映像・音声データに基く映像・音声がディスプレイ３０及びスピーカ３０ａにて再生される。
【００２７】
ＨＤＤ５は、映像・音声に関するデータを読み出し可能に記録するものである。ＨＤＤ５は、図２に示すように、記録媒体である複数枚のハードディスク５１と、これらのハードディスク５１に対してデータの記録・読取を行う複数の磁気ヘッド５２と、磁気ヘッド５２を駆動するヘッド駆動部５３と、ヘッド駆動部５３を制御してハードディスク５１に対するデータの記録・読取を制御するＨＤＤ制御部５４と、記録するデータ又は読み出したデータを一時的に保存するバッファメモリ５５とを備えている。磁気ヘッド５２、ヘッド駆動部５３、及びＨＤＤ制御部５４により、ハードディスク５１から映像・音声に関するデータを読取る読取手段が構成されている。
【００２８】
ＨＤＤ５は、システム制御部１１による制御のもと、映像・音声信号処理部４から出力される一連の映像・音声（すなわちテレビ放送の映像・音声）に関するデータを一つの映像・音声ファイル（情報ファイル）としてハードディスク５１に記録する。また、ＨＤＤ５は、システム制御部１１による制御のもと、ハードディスク５１に記録されている映像・音声に関するデータを読み出して映像・音声信号処理部４へ出力する。
【００２９】
ＯＳＤ処理部６は、システム制御部１１による制御のもと、映像・音声信号復調部３、及び映像・音声信号処理部４から出力される映像信号に各種オンスクリーン表示信号を重畳する。これにより、オンスクリーン表示信号による画像が重ねられた映像がディスプレイ３０に表示される。
【００３０】
リモコン７は、ハードディスクレコーダ１の各種の動作を操作するためのものであり、図３に示すように、電源キー７２、メニューキー７３、数字キー７４、音量アップキー７５、音量ダウンキー７６を備えている。また、ＲＥＣキー８１、再生キー８２、停止キー８３、一時停止キー８４、巻戻し再生キー８５、早送り再生キー８６，８７，８８、マークキー８９、カーソルキー９１を備えている。リモコン７は、これらの操作キーを押下操作すると、その操作に応じた赤外線コード信号を投光部７１から送出する。
【００３１】
電源キー７２は、ハードディスクレコーダ１本体の電源をオン／オフするためのキーであり、メニューキー７３は、ハードディスクレコーダ１の各種動作を選択指示するメニュー画面をディスプレイ３０に表示させるためのキーである。数字キー７４は、テレビ放送信号の選局等を行うためのキーである。音量アップキー７５は、音量を大きくするためのキーであり、音量ダウンキー７６は、音量を小さくするためのキーである。
【００３２】
ＲＥＣキー８１は、受信中のテレビ放送の映像・音声をハードディスク５１に記録するためのキーである。再生キー８２は、ハードディスク５１に記録されている映像・音声を通常再生するためのキーであり、停止キー８３は、映像・音声の再生を停止するためのキーである。また、一時停止キー８４は、再生中の映像・音声を一時停止するためのキーである。巻戻し再生キー８５は、ハードディスク５１に記録されている映像・音声を巻戻し方向に（映像・音声ファイルの先頭側に向けて）再生するためのキーである。早送り再生キー８６，８７，８８は、各々、ハードディスク５１に記録されている映像・音声を前進方向に（映像・音声ファイルの終端側に向けて）、通常再生の１２０倍、６０倍、３０倍の速度で早送り再生するためのキーである。
【００３３】
マークキー８９は、ハードディスク５１に記録されている映像・音声の再生開始位置とすることができるマーク位置を設定するためのキーである。カーソルキー９１は、メニュー画面上のカーソル移動や項目選択、映像・音声ファイルの選択等の操作用のキーである。
【００３４】
また、図１に示されるリモコン受信部８は、リモコン７から送出された赤外線信号を受信して電気信号に変換し、リモコン７の操作に対応する信号をシステム制御部１１へ出力する。マーク設定メモリ９は、システム制御部１１による制御のもと、ハードディスク５１（図２参照）に記録されている映像・音声の再生開始位置とすることができるマーク位置の設定データを記憶する。ＲＯＭ１０は、システム制御部１１の動作プログラムを格納している。
【００３５】
システム制御部１１は、リモコン７の操作に応じて、テレビ放送の映像・音声のハードディスク５１への記録、ハードディスク５１に記録した映像・音声の通常再生、巻戻し再生、早送り再生を制御する。また、システム制御部１１は、リモコン７の操作に応じて、マーク位置の設定、設定されているマーク位置からの映像の再生開始、及びハードディスクレコーダ１のその他の動作を制御する。
【００３６】
次に、マーク位置の設定について説明する。マーク位置の設定は、映像・音声の早送り再生中にリモコン７のマークキー８９（図３参照）を操作することにより行われる。図４に示すように、映像・音声の早送り再生中にマークキー８９の押下操作（マーク設定操作）が行われると、マークキー８９が押下されたときの再生位置（図示Ａ１の位置）より巻戻し側における直近の映像・音声の場面変化と見なされる位置（図示Ａ２の位置）がマーク位置として設定される。場面変化と見なされる位置は、システム制御部１１により、例えばビットレートの変化率に基づいて、ビットレートが急激に増大したり急激に減少した地点が自動的に検索される。マーク位置は、映像・音声ファイル毎に複数の位置が設定可能であり、マーク位置を示すアドレスデータが映像・音声ファイル毎に対応付けられてマーク設定メモリ９に記憶される。
【００３７】
次に、上記構成のハードディスクレコーダ１のマーク設定処理について、図５のフローチャートを参照して説明する。まず、システム制御部１１は、映像・音声の早送り再生中に（＃１）、リモコン７のマークキー８９が押下操作されたか否かを判断する（＃２）。なお、映像・音声の早送り再生は、リモコン７のメニューキー７３、カーソルキー９１等を操作して映像・音声ファイルを選択し、早送り再生キー８６，８７，８８の何れかを押下するか、又は、映像・音声ファイルの通常再生中に早送り再生キー８６，８７，８８の何れかを押下することにより行われる。
【００３８】
マークキー８９が押下されると（＃２でＹＥＳ）、システム制御部１１は、例えばビットレートの変化率に基づいて、マークキー８９が押下されたときの再生位置より所定時間（例えば５秒）内の巻戻し側の区間内において、場面変化と見なされる位置を検索する（＃３）。そして、システム制御部１１は、この検索により検出した場面変化と見なされる位置を、そのアドレスデータをマーク設定メモリ９に記憶することによりマーク位置として設定する（＃４）。
【００３９】
なお、システム制御部１１は、所定時間内の巻戻し側の区間内において場面変化と見なされる位置を複数検出できた場合には、マークキー８９が押下操作されたときの再生位置に直近の場面変化と見なされる位置をマーク位置として設定する。また、所定時間内の巻戻し側の区間内において場面変化と見なされる位置を検出できなかった場合には、マークキー８９が押下されたときの再生位置から所定時間分だけ巻戻した位置をマーク位置として設定する。マーク位置の設定後、システム制御部１１は、マーク設定処理を終了する（＃５）。
【００４０】
このような構成のハードディスクレコーダ１によれば、映像・音声の早送り再生中にリモコン７のマークキー８９を押下すると（マーク位置を設定するためのマーク設定操作を行うと）、そのときの再生位置より巻戻し側における直近の映像・音声の場面変化と見なされる位置がマーク位置として設定される。従って、例えば早送り再生中に所望のシーンを発見し、そのときにマークキー８９を押下するだけで、自動的に、そのときの再生位置より巻戻し側における直近の場面変化と見なされる位置がマーク位置として設定される。
【００４１】
次に、第２の実施形態について説明する。本実施形態のハードディスクレコーダ１では、図６に示すように、まず、映像・音声の早送り再生中にマークキー８９の押下操作（マーク位置を設定するための第１の操作）が行われると、マークキー８９が押下されたときの再生位置（図示Ａ１の位置）から映像・音声の巻戻し方向へのスロー再生が自動的に開始される。そして、マークキー８９の押下状態が持続されている間、映像・音声の巻戻し方向へのスロー再生が続行される。その後、マークキー８９の押下状態の解除操作（マーク位置を設定するための第２の操作）が行われると、マークキー８９の押下状態が解除されたときの位置（図示Ａ２の位置）がマーク位置として設定される。本実施形態における他の構成については、上記実施形態における構成と同様である。
【００４２】
次に、本実施形態のハードディスクレコーダ１のマーク設定処理について、図７のフローチャートを参照して説明する。まず、システム制御部１１は、映像・音声の早送り再生中に（＃２１）、リモコン７のマークキー８９が押下操作されたか否かを判断する（＃２２）。
【００４３】
マークキー８９が押下されると（＃２２でＹＥＳ）、システム制御部１１は、マークキー８９が押下されたときの再生位置から映像・音声の巻戻し方向へのスロー再生を開始する（＃２３）。次に、システム制御部１１は、マークキー８９の押下状態が解除されなければ（＃２４でＮＯ）、映像・音声の巻戻し方向へのスロー再生を続行する（＃２５）。
【００４４】
そして、マークキー８９の押下状態が解除されると（＃２４でＹＥＳ）、システム制御部１１は、マークキー８９の押下状態が解除されたときの再生位置を、そのアドレスデータをマーク設定メモリ９に記憶することによりマーク位置として設定する（＃２６）。マーク位置の設定後、システム制御部１１は、マーク設定処理を終了する（＃２７）。
【００４５】
このような構成のハードディスクレコーダ１によれば、映像・音声の早送り再生中にリモコン７のマークキー８９を押下すると（マーク位置を設定するための第１の操作を行うと）、マークキー８９を押下したときの再生位置から巻戻し方向へのスロー再生が自動的に開始され、マークキー８９を押下し続けている間、このスロー再生が続行される。そして、マークキー８９の押下状態を解除すると（マーク位置を設定するための第２の操作を行うと）、その解除したときの再生位置がマーク位置として設定される。従って、早送り再生中に所望のシーンを発見した時点でマークキー８９を押下し、その後、自動的に行われる巻戻し方向へのスロー再生中に所望の時点でマークキー８９の押下状態を解除するだけで、所望のシーンを適切にマーク位置として設定することができる。
【００４６】
次に、第３の実施形態について説明する。本実施形態のハードディスクレコーダ１では、図８に示すように、まず、映像・音声の早送り再生中にマークキー８９の押下操作（マーク位置を設定するための第１の操作）が行われると、マークキー８９が押下されたときの再生位置（図示Ａ１の位置）より巻戻し方向に所定量ΔＴ（例えば５秒分の区間）だけ戻った位置（図示Ｂ１の位置）から映像・音声の前進方向（ファイル終端側）へのスロー再生が自動的に開始される。そして、マークキー８９の押下状態が持続されている間、映像・音声の前進方向へのスロー再生が続行される。その後、マークキー８９の押下状態の解除操作（マーク位置を設定するための第２の操作）が行われると、マークキー８９の押下状態が解除されたときの位置（図示Ａ２の位置）がマーク位置として設定される。所定量ΔＴの値は、予め設定されており、そのデータはシステム制御部１１の内部メモリに記憶されている。本実施形態における他の構成については、上記実施形態における構成と同様である。
【００４７】
次に、本実施形態のハードディスクレコーダ１のマーク設定処理について、図９のフローチャートを参照して説明する。まず、システム制御部１１は、映像・音声の早送り再生中に（＃３１）、リモコン７のマークキー８９が押下操作されたか否かを判断する（＃３２）。
【００４８】
マークキー８９が押下されると（＃３２でＹＥＳ）、システム制御部１１は、マークキー８９が押下されたときの再生位置より巻戻し方向に所定量ΔＴだけ戻った位置から映像・音声の前進方向へのスロー再生を開始する（＃３３）。次に、システム制御部１１は、マークキー８９の押下状態が解除されなければ（＃３４でＮＯ）、映像・音声の前進方向へのスロー再生を続行する（＃３５）。
【００４９】
そして、マークキー８９の押下状態が解除されると（＃３４でＹＥＳ）、システム制御部１１は、マークキー８９の押下状態が解除されたときの再生位置を、そのアドレスデータをマーク設定メモリ９に記憶することによりマーク位置として設定する（＃３６）。マーク位置の設定後、システム制御部１１は、マーク設定処理を終了する（＃３７）。
【００５０】
このような構成のハードディスクレコーダ１によれば、映像・音声の早送り再生中にリモコン７のマークキー８９を押下すると（マーク位置を設定するための第１の操作を行うと）、マークキー８９を押下したときの再生位置より巻戻し方向に所定量ΔＴだけ戻った位置から前進方向へのスロー再生が自動的に開始され、マークキー８９を押下し続けている間、このスロー再生が続行される。そして、マークキー８９の押下状態を解除すると（マーク位置を設定するための第２の操作を行うと）、その解除したときの再生位置がマーク位置として設定される。従って、早送り再生中に所望のシーンを発見した時点でマークキー８９を押下し、その後、自動的に行われる前進方向へのスロー再生中に所望の時点でマークキー８９の押下状態を解除するだけで、所望のシーンを適切にマーク位置として設定することができる。
【００５１】
なお、本発明は、上記実施形態の構成に限られず、種々の変形が可能である。例えば、上記第１の実施形態において、場面変化と見なされる位置は、ビットレートの変化率に限らず、例えば、音声の有無の変化や画面の変化率に基づいて検出してもよく、また、例えば、音声の有無の変化、ビットレートの変化率、及び画面の変化率に基づく総合的な判断により検出してもよい。
【００５２】
また、上記第２の実施形態において、マークキー８９の押下状態が持続されている間の映像・音声の巻戻し方向へのスロー再生に代えて、例えば、通常速度又は通常速度よりもある程度早い速度での映像・音声の巻戻し方向への再生を行ってもよい。また、上記第３の実施形態において、マークキー８９の押下状態が持続されている間の映像・音声の前進方向へのスロー再生に代えて、例えば、通常速度又は通常速度よりもある程度早い速度での映像・音声の前進方向への再生を行ってもよい。また、上記第２及び第３の実施形態において、マークキー８９の押下操作と押下状態の解除操作とに代えて、例えば、マークキー８９の１回目の押下操作と２回目の押下操作によって同様のマーク設定処理を行ってもよい。
【００５３】
また、上記第１乃至第３の実施形態において、マーク位置の設定は、早送り再生中に限らず、巻戻し再生中や通常再生中にマークキー８９を操作することにより行うようにしてもよい。また、本発明は、ハードディスクレコーダに限らず、ＤＶＤ（デジタルビデオディスク）プレイヤ等の映像再生装置にも適用できるものである。
【００５４】
【発明の効果】
以上説明したように請求項１の発明によれば、マーク設定操作されたときの映像再生位置より巻戻し側における映像の場面変化と見なされる位置を検索し、その場面変化と見なされる位置をマーク位置として設定するため、ユーザは、所望のシーンを発見した後に巻戻しのための操作を別途に行う必要がなく、所望の映像シーンを簡便な操作により適切にマーク位置として設定できる。しかも、マーク設定操作されたときの映像再生位置より巻戻し側における場面変化と見なされる位置をマーク位置として設定するため、従来と異なり、所望の映像シーンを通り過ぎた位置がマーク位置として設定されてしまうことがなくなり、所望の映像シーンを一層適切にマーク位置として設定することができる。
【００５５】
請求項２の発明によれば、マーク設定操作されたときの映像再生位置付近における映像の場面変化と見なされる位置をマーク位置として設定するため、ユーザは、所望のシーンを発見した後に巻戻しのための操作を別途に行う必要がなく、所望の映像シーンを簡便な操作により適切にマーク位置として設定することができる。
【００５６】
請求項３の発明によれば、マークキーが押下され続けている間、マークキーの押下開始時点の映像再生位置から映像を巻戻し方向にスロー再生し、マークキーの押下状態が解除されると、その時点の映像再生位置をマーク位置として設定するため、ユーザは、所望のシーンを発見した後に巻戻しのための操作を別途に行う必要がなく、所望の映像シーンを簡便な操作により適切にマーク位置として設定できる。しかも、マークキーの押下操作とその後に必然的に行われるマークキーの押下状態の解除操作とを利用しているため、ユーザは、一層簡便な操作によりマーク位置を設定することができる。
【００５７】
請求項４の発明によれば、マーク位置を設定するための第１の操作が行われたときの映像再生位置から映像を巻戻し方向に再生し、マーク位置を設定するための第２の操作が行われたときの映像再生位置をマーク位置として設定するため、ユーザは、所望のシーンを発見した後に巻戻しのための操作を別途に行う必要がなく、所望の映像シーンを簡便な操作により適切にマーク位置として設定することができる。
【００５８】
請求項５の発明によれば、マークキーが押下され続けている間、マークキーの押下開始時点より巻戻し方向に所定量戻った映像再生位置から映像を前進方向にスロー再生し、マークキーの押下状態が解除されると、その時点の映像再生位置をマーク位置として設定するため、ユーザは、所望のシーンを発見した後に巻戻しのための操作を別途に行う必要がなく、所望の映像シーンを簡便な操作により適切にマーク位置として設定することができる。しかも、マークキーの押下操作とその後に必然的に行われるマークキーの押下状態の解除操作とを利用しているため、ユーザは、一層簡便な操作によりマーク位置を設定することができる。
【００５９】
請求項６の発明によれば、マーク位置を設定するための第１の操作が行われたときの映像再生位置より巻戻し方向に所定量戻った位置から映像を前進方向に再生し、マーク位置を設定するための第２の操作が行われたときの映像再生位置をマーク位置として設定するため、ユーザは、所望のシーンを発見した後に巻戻しのための操作を別途に行う必要がなく、所望の映像シーンを簡便な操作により適切にマーク位置として設定することができる。
【図面の簡単な説明】
【図１】本発明の第１の実施形態によるハードディスクレコーダの概略構成を示す電気的ブロック構成図。
【図２】同装置のＨＤＤの概略構成を示す電気的ブロック構成図。
【図３】同装置のリモコンの操作キーの構成を示す平面図。
【図４】同装置のマーク位置の設定を説明するイメージ図。
【図５】同装置のマーク位置設定処理を示すフローチャート。
【図６】第２の実施形態によるハードディスクレコーダのマーク位置の設定を説明するイメージ図。
【図７】同装置のマーク位置設定処理を示すフローチャート。
【図８】第３の実施形態によるハードディスクレコーダのマーク位置の設定を説明するイメージ図。
【図９】同装置のマーク位置設定処理を示すフローチャート。
【符号の説明】
１  ハードディスクレコーダ（映像再生装置）
４  映像・音声信号処理部（映像信号生成手段）
５  ＨＤＤ
７  リモコン（操作手段）
９  マーク設定メモリ
１１  システム制御部（再生制御手段、マーク設定手段、場面変化検索手段）
３０  ディスプレイ
５１  ハードディスク（記録媒体）
５２  磁気ヘッド（読取手段）
５３  ヘッド駆動部（読取手段）
５４  ＨＤＤ制御部（読取手段）
８９  マークキー
【図１】
2004356793.tif 000003
【図２】
2004356793.tif 000004
【図３】
2004356793.tif 000005
【図４】
2004356793.tif 000006
【図５】
2004356793.tif 000007
【図６】
2004356793.tif 000008
【図７】
2004356793.tif 000009
【図８】
2004356793.tif 000010
【図９】
2004356793.tif 000011